(57)【要約】【課題】装置本体に取り付けられている組立体の所在を管理することができるクロマトグラフィーシステムを提供すること。【解決手段】クロマトグラフィーシステム１は、液体の試料が通過する流路を有する装置本体１１と、流路の途中に配置され、試料を複数の成分に分離する分析カラムとを備え、複数の分析条件で試料の分析が可能である。クロマトグラフィーシステム１は、装置本体１１に取り付けられ、複数の部材を組み立てることにより構成された組立体３と、組立体３に関する第１情報および組立体３を構成する各部材に関する第２情報とを記憶する第３記憶とを備える。
2020183761.tif 000002
【特許請求の範囲】
【請求項１】
液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、
前記装置本体に取り付けられ、複数の部材を組み立てることにより構成された組立体と、
前記組立体に関する第１情報と、前記組立体を構成する各前記部材に関する第２情報とを記憶する記憶部とを備えるクロマトグラフィーシステム。
【請求項２】
前記記憶部は、前記装置本体に配置されている請求項１に記載のクロマトグラフィーシステム。
【請求項３】
前記記憶部は、前記組立体に配置されている請求項１に記載のクロマトグラフィーシステム。
【請求項４】
前記記憶部は、前記組立体が製造されたときに付与されたロット番号を、前記第１情報として記憶する請求項１ないし３のいずれか１項に記載のクロマトグラフィーシステム。
【請求項５】
前記記憶部は、前記部材が製造されたときに付与されたロット番号を、前記第２情報として記憶する請求項１ないし４のいずれか１項に記載のクロマトグラフィーシステム。
【請求項６】
前記装置本体は、複数配置されており、
前記組立体は、各前記装置本体に交換して用いられるのが可能であり、
前記記憶部に記憶されている前記第１情報に基づいて、前記組立体が取り付けられている装置本体を検索する装置本体検索部を備える請求項１ないし５のいずれか１項に記載のクロマトグラフィーシステム。
【請求項７】
前記記憶部に記憶されている前記第２情報に基づいて、前記部材が組み込まれている前記組立体を検索する組立体検索部を備える請求項１ないし６のいずれか１項に記載のクロマトグラフィーシステム。
【請求項８】
前記記憶部は、前記第１情報および前記第２情報の書き換えが可能であり、
前記記憶部に対して、前記第１情報および前記第２情報の書き換えを行う入力部を備える請求項１ないし７のいずれか１項に記載のクロマトグラフィーシステム。
【発明の詳細な説明】
【技術分野】
【０００１】
本発明は、クロマトグラフィーシステムに関する。
【背景技術】
【０００２】
分析対象である移動相を分析カラムによって複数の成分、すなわち、分析物に分離するクロマトグラフィーシステムが知られている（例えば、特許文献１参照）。クロマトグラフィーシステムは、例えば、セルやバルブ等のような使用頻度（使用回数）に応じて、または、経時的に劣化した場合に交換される部品が装置に組み込まれている。この部品には、複数の装置間での転用が可能な転用可能部品がある。例えば、クロマトグラフィーシステムに２つの装置がある場合、一方の装置に組み込まれていた転用可能部品を取り外して、他方の装置に組み込むとことができる。
【先行技術文献】
【特許文献】
【０００３】
【特許文献１】特開２００８−２０９３２７号公報
【発明の概要】
【発明が解決しようとする課題】
【０００４】
例えば転用可能部品に不具合が生じたために、当該転用可能部品にリコールがかかった場合、転用可能部品の交換を要する。しかしながら、リコールされている転用可能部品がどの装置に組み込まれているのかを把握しておかなければ、当該転用可能部品を探し当てて、交換することが困難となるという問題が生じる。【０００５】
この発明は上記課題を解決するためになされたものであり、装置本体に取り付けられている組立体の所在を管理することができるクロマトグラフィーシステムを提供することにある。
【課題を解決するための手段】
【０００６】
本発明の第１の態様は、液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、前記装置本体に取り付けられ、複数の部材を組み立てることにより構成された組立体と、前記組立体に関する第１情報と、前記組立体を構成する各前記部材に関する第２情報とを記憶する記憶部とを備えるクロマトグラフィーシステムに関する。
【発明の効果】
【０００７】
本発明によれば、例えば組立体にリコールがかけられている場合、記憶部によって、当該組立体がどの装置本体に取り付けられているのか、すなわち、組立体の所在を管理することができる。
【図面の簡単な説明】
【０００８】
【図１】図１は、本発明のクロマトグラフィーシステムの第１実施形態を示す概略図（ブロック図）である。
【図２】図２は、図１に示すクロマトグラフィーシステムが備える組立体の配置状態を示す概略図である。
【図３】図３は、図１に示すクロマトグラフィーシステムが備える組立体の配置状態を示す概略図である。
【図４】図４は、図１に示すクロマトグラフィーシステムが備える組立体の配置状態を示す概略図である。
【図５】図５は、本発明のクロマトグラフィーシステムの第２実施形態を示す概略図（ブロック図）である。
【発明を実施するための形態】
【０００９】
以下、本発明のクロマトグラフィーシステムを添付図面に示す好適な実施形態に基づいて詳細に説明する。
＜第１実施形態＞
図１は、本発明のクロマトグラフィーシステムの第１実施形態を示す概略図（ブロック図）である。図２〜図４は、それぞれ、図１に示すクロマトグラフィーシステムが備える組立体の配置状態を示す概略図である。
【００１０】
以下では、一例として、クロマトグラフィーシステム１を、移動相Ｑの一種である液体の試料に対して複数の分析条件で分析を行う液体クロマトグラフィーシステムに適用した場合について説明するが、クロマトグラフィーシステム１は、超臨界流体クロマトグラフィーシステムやガスクロマトグラフィーシステムに対しても同様に適用することができる。
【００１１】
図１に示すように、クロマトグラフィーシステム１は、当該クロマトグラフィーシステム１での装置本体１１を構成する送液装置２、オートサンプラ４、カラムオーブン６、検出器８およびシステム管理装置１０と、装置本体１１に対して着脱自在に交換される分析カラム１２１とを備えている。
【００１２】
送液装置２、オートサンプラ４、カラムオーブン６および検出器８は、移動相Ｑが流れる方向に沿って、すなわち、上流側から下流側に向かって、この順に配置されている。また、送液装置２、オートサンプラ４、カラムオーブン６および検出器８は、流路１３を構成する配管を介して、接続されている。移動相Ｑは、流路１３を通過することができる。
なお、移動相Ｑとしては、分析対象である試料の他に、例えば、分析時に用いられる緩衝液や、固定相を洗浄する有機溶媒等の洗浄液等が挙げられる。
【００１３】
また、システム管理装置１０は、送液装置２、オートサンプラ４、カラムオーブン６および検出器８と電気的に接続されている。このシステム管理装置１０は、例えば、論理演算を実行するＣＰＵ、送液装置２等の制御に必要な動作プログラムが格納されたＲＯＭ、制御時にデータ等が一時的にストアされるＲＡＭ等から構成され、クロマトグラフィーシステム１全体を制御することができる。
【００１４】
送液装置２は、例えば送液ポンプを有し、この送液ポンプによって、流路１３内で移動相Ｑを下流側に向かって移送することができる。また、送液ポンプの回転数を変更することにより、移動相Ｑの移送速度を調整することができる。
オートサンプラ４は、流路１３に移動相Ｑを注入するためのものである。
カラムオーブン６には、分析カラム１２１を装填することができる。これにより、分析カラム１２１は、流路１３の途中に配置された状態となり、オートサンプラ４から試料が移動相Ｑに注入され、当該試料を複数の成分に分離することができる。
【００１５】
また、カラムオーブン６は、例えば通電により発熱するヒータを有し、このヒータによって分析カラム１２１を試料ごと加熱することができる。これにより、試料の温度を所定の温度に調節することができる。
検出器８は、分析カラム１２１で分離された成分を検出するためのものである。
【００１６】
また、図１に示すように、クロマトグラフィーシステム１は、システム管理装置１０を備える。このシステム管理装置１０は、分析条件設定部１４と、判断部１５と、入力部１７と、表示部１８と、第１記憶部１６とを備える。
また、クロマトグラフィーシステム１では、分析カラム１２１は、分析カラム１２１に付された第２記憶部１２２とともにカラムユニット１２を構成する。分析カラム１２１が交換される際には、第２記憶部１２２ごと、その交換が行われる。
【００１７】
分析条件設定部１４は、分析条件を複数設定することができる。分析条件には、例えば、試料の種類、分析カラム１２１に充填されている固定相の種類等が含まれる。これにより、クロマトグラフィーシステム１は、試料の分析を複数の分析条件で行うことができる。
【００１８】
例えば、分析対象である試料が２種類ある場合、一方の試料の分析を行うときには、分析条件設定部１４によって第１分析条件が設定され、他方の試料の分析を行うときには、分析条件設定部１４によって、第１分析条件と異なる第２分析条件が設定される。第１分析条件では、一方の試料の分析に適合した分析カラム１２１が用いられ、第２分析条件では、他方の試料の分析に適合した分析カラム１２１が用いられる。
【００１９】
判断部１５は、例えば、分析条件設定部１４によって設定された分析条件が選択可能か否かの判断等を行う。
第１記憶部１６には、移動相Ｑの種類に関する移動相情報が予め記憶されている。第１記憶部１６は、移動相情報を、例えば、各移動相Ｑの名称や番号等で記憶することができる。
第２記憶部１２２には、分析カラム１２１の個体情報が記憶されている。本実施形態では、分析カラム１２１は、内部に充填されている固定相の種類によって特定される。そして、この個体情報により、分析カラム１２１自体を特定することができる。
【００２０】
図１に示すように、送液装置２、オートサンプラ４、カラムオーブン６および検出器８には、それぞれ、後述する交換可能な部品である組立体３に関する第１情報と、組立体３を構成する部材３１等に関する第２情報とを記憶する第３記憶部１９が配置されている。
なお、交換可能部品（組立体３）と異なる交換不可能部品に関する情報については、システム管理装置１０の第１記憶部１６に記憶することができる。
【００２１】
表示部１８は、液晶画面を有し、第１記憶部１６に記憶された移動相情報等を液晶画面に表示することができる。液晶画面は、タッチパネル機能を有していてもよい。
入力部１７では、分析条件設定部１４への分析条件の設定操作、すなわち、入力操作を行うことができる。表示部１８の液晶画面がタッチパネル機能を有する場合、表示部１８は、入力部１７を兼ねることができる。これにより、クロマトグラフィーシステム１の構成を簡単にすることができる。なお、表示部１８と入力部１７とは、別構成となっていてもよい。
【００２２】
図２〜図４に示すように、装置本体１１には、組立体３が着脱自在に取り付けられている。組立体３は、複数の部材を有し、これら部材同士を組み立てることにより構成されている。
【００２３】
本実施形態では、一例として、組立体３は、部材３１と部材３２とを有し、これら部材３１と部材３２とを組み立てることにより構成されている。さらに、部材３１は、部材３１１と部材３１２とを有し、これら部材３１１と部材３１２とを組み立てることにより構成されている。従って、組立体３は、次に述べる階層を有する組立体であると言うことができる。組立体３を親部品とした場合、その子部品が部材３１および部材３２となり、孫部品が部材３１１および部材３１２となる。
このような組立体３としては、特に限定されず、例えば、セルやバルブ等のような使用頻度（使用回数）に応じて、または、経時的に劣化した場合に交換される部品が挙げられる。組立体３の一例を下記表１に示す。
【００２４】
【表１】
2020183761.tif 000003
【００２５】
表１に示すように、組立体３は、親部品「高圧バルブ」である。この親部品よりも下位の部品、すなわち、高圧バルブの子部品は、「ステータ」および「ロータ」である。
【００２６】
図２および図３に示すように、クロマトグラフィーシステム１では、装置本体１１が２つ配置されている。以下、図中の左側の装置本体１１を「装置本体１１Ａ」と言い、右側の装置本体１１を「装置本体１１Ｂ」と言う。
組立体３は、装置本体１１Ａおよび装置本体１１Ｂのいずれにも組み込むことができる。換言すれば、組立体３は、装置本体１１Ａおよび装置本体１１Ｂにそれぞれ交換して用いることができる。これにより、例えば、装置本体１１Ａを稼働させたいが、装置本体１１Ａ内の組立体３が劣化により交換を要する場合、停止状態の装置本体１１Ｂから組立体３を装置本体１１Ａに転用することができる。組立体３が前記高圧バルブの場合、当該組立体３は、例えばオートサンプラ４に組み込まれ、装置本体１１Ａのオートサンプラ４と、装置本体１１Ｂのオートサンプラ４との間で交換可能である。
【００２７】
また、例えば組立体３にリコールがかかった場合にも、当該組立体３の交換を要する。ここで「リコール」とは、組立体３の設計や製造上の過誤等により欠陥があることが判明した場合に、法令の規定、または、組立体３の製造者や販売者の判断で、無償の交換等の措置を行うことである。
【００２８】
しかしながら、リコールされている組立体３が装置本体１１Ａおよび装置本体１１Ｂのうちのどちらに組み込まれているのかを把握しておかなければ、当該組立体３を探し当てて、交換することが困難となるという問題が生じる。
そこで、クロマトグラフィーシステム１は、このような不具合を解消可能に構成されている。以下、この構成および作用について説明する。
【００２９】
図２〜図４に示すように、既に組立体３には、当該組立体３が製造されたときにロット番号ＬＮ３が付与されている。これと同様に、部材３１には、当該部材３１が製造されたときにロット番号ＬＮ３１が付与されている。また、部材３２には、当該部材３２が製造されたときにロット番号ＬＮ３２が付与されている。部材３１１には、当該部材３１１が製造されたときにロット番号ＬＮ３１１が付与されている。部材３１２には、当該部材３１２が製造されたときにロット番号ＬＮ３１２が付与されている。
【００３０】
このように、本実施形態では、親部品として、ロット番号ＬＮ３の組立体３があり、その子部品として、すなわち、ロット番号ＬＮ３の組立体３に属する部品として、ロット番号ＬＮ３１の部材３１と、ロット番号ＬＮ３２の部材３２とがある。さらに、孫部品として、すなわち、ロット番号ＬＮ３の組立体３に属する部品として、ロット番号ＬＮ３１１の部材３１１と、ロット番号ＬＮ３１２の部材３１２とがある。
【００３１】
また、表１に示す例では、ロット番号ＬＮ３が「Ｌｏｔ１２３４」であり、ロット番号ＬＮ３１が「ＬｏｔＸ００１」であり、ロット番号ＬＮ３２が「ＬｏｔＹ００１」である。また、表１に示すように、高圧バルブは、自身のＩＤとしてのＩＤ「０ｘ０００１」が付されている。ステータは、高圧バルブを親部品とする、すなわち、ＩＤが「０ｘ０００１」の親部品の子部品（下位部品）であり、その子部品としてのＩＤ「０ｘ０００２」が付されている。ロータは、高圧バルブを親部品とする、すなわち、ＩＤが「０ｘ０００１」の親部品の子部品（下位部品）であり、その子部品としてのＩＤ「０ｘ０００３」が付されている。
【００３２】
組立体３が高圧バルブの場合、当該組立体３は、例えばオートサンプラ４に組み込まれている。例えば、図２に示すように、高圧バルブである組立体３が装置本体１１Ａのオートサンプラ４に組み込まれている状態では、当該オートサンプラ４の第３記憶部１９（以下「第３記憶部１９Ａ」という）は、組立体３に関する第１情報として、組立体３（高圧バルブ）のロット番号ＬＮ３（Ｌｏｔ１２３４）を記憶する。また、第３記憶部１９Ａは、組立体３よりも下位の階層の部材３１（ステータ）および部材３２（ロータ）に関する第２情報として、部材３１のロット番号ＬＮ３１（ＬｏｔＸ００１）と、部材３２のロット番号ＬＮ３２（ＬｏｔＹ００１）とを記憶する。また、第３記憶部１９Ａは、第１情報として、親部品（自身部品）のＩＤを記憶し、第２情報として、子部品（下位部品）のＩＤを記憶することもできる。なお、組立体３が部材３１１および部材３１２を有する場合には、第３記憶部１９Ａは、さらに、部材３１１に関する第２情報としての部材３１１のロット番号ＬＮ３１１と、部材３１２に関する第２情報としての部材３１２のロット番号ＬＮ３１２とを記憶する。
【００３３】
一方、図３に示すように、高圧バルブである組立体３が装置本体１１Ｂのオートサンプラ４に組み込まれている状態では、当該オートサンプラ４の第３記憶部１９（以下「第３記憶部１９Ｂ」という）は、組立体３に関する第１情報として、組立体３（高圧バルブ）のロット番号ＬＮ３（Ｌｏｔ１２３４）を記憶する。また、第３記憶部１９Ｂは、組立体３よりも下位の階層の部材３１（ステータ）および部材３２（ロータ）に関する第２情報として、部材３１のロット番号ＬＮ３１（ＬｏｔＸ００１）と、部材３２に関する第２情報としての部材３２のロット番号ＬＮ３２（ＬｏｔＹ００１）とを記憶する。また、第３記憶部１９Ｂは、第１情報として、親部品（自身部品）のＩＤを記憶し、第２情報として、子部品（下位部品）のＩＤを記憶することもできる。なお、組立体３が部材３１１および部材３１２を有する場合には、第３記憶部１９Ｂは、さらに、部材３１１に関する第２情報としての部材３１１のロット番号ＬＮ３１１と、部材３１２に関する第２情報としての部材３１２のロット番号ＬＮ３１２とを記憶する。
【００３４】
クロマトグラフィーシステム１では、第３記憶部１９への第１情報および第２情報の入力は、入力部１７を介して行うことができる。なお、第３記憶部１９への入力は、本実施形態では部品交換作業を行う作業者の手動による入力であるが、これに限定されず、自動入力であってもよい。また、第３記憶部１９への第１情報および第２情報の入力は、入力部１７からの入力に限定されず、例えば、後述のクラウド装置５からの入力であってもよい。
【００３５】
図２〜図４に示すように、クロマトグラフィーシステム１は、例えば、論理演算を実行するＣＰＵ、その他、ＲＯＭやＲＡＭ等で構成されたクラウド装置（クラウドコンピュータ）５を備える。クラウド装置５は、装置本体１１Ａおよび装置本体１１Ｂの各システム管理装置１０に電気的に接続されている。この接続方法としては、特に限定されず、例えば、有線による方法、無線による方法、または、ネットワークを介する方法等であってもよい。
【００３６】
クラウド装置５ｘは、第１検索部５１と、第２検索部５２と、表示部５３と、を備える。
第１検索部５１は、第３記憶部１９に記憶されている第１情報、すなわち、親部品（自身部品）のロット番号やＩＤに基づいて、組立体３が取り付けられている装置本体１１を検索する装置本体検索部である。
【００３７】
なお、第３記憶部１９に記憶された第１情報は、システム管理装置１０を経由して、第１検索部５１に送信される。これにより、クラウド装置５では、組立体３がどの装置本体１１に取り付けられているのかが把握される、すなわち、装置本体１１と組立体３とが関係付けられる。なお、第１検索部５１は、第３記憶部１９に記憶された第１情報を記憶する機能も有する。
また、第１情報が第１検索部５１に送信されるタイミングとしては、例えば、組立体３が交換されたとき、システム管理装置１０と、送液装置２、オートサンプラ４、カラムオーブン６および検出器８とが通信可能な状態となるとき等である。
【００３８】
第２検索部５２は、第３記憶部１９に記憶されている第２情報、すなわち、下位部品のロット番号やＩＤに基づいて、部材３１、部材３２、部材３３１および部材３３２が組み込まれている組立体３を検索する組立体検索部である。
【００３９】
なお、第３記憶部１９に記憶された第２情報は、システム管理装置１０を経由して、第２検索部５２に送信される。これにより、クラウド装置５では、下位部品である部材３１等がどの組立体３に属するのかが把握される、すなわち、組立体３と部材３１等とが関係付けられる。なお、第２検索部５２は、第３記憶部１９に記憶された第２情報を記憶する機能も有する。
また、第２情報が第２検索部５２に送信されるタイミングとしては、例えば、部材３１等が交換されたとき、システム管理装置１０と、送液装置２、オートサンプラ４、カラムオーブン６および検出器８とが通信可能な状態となるとき等である。
【００４０】
表示部５３は、第１検索部５１および第２検索部５２と電気的に接続されている。表示部５３は、液晶画面を有し、第１検索部５１での検索結果と、第２検索部５２での検索結果と、を液晶画面に表示することができる。
【００４１】
例えば組立体３である高圧バルブにリコールがかかった場合、クラウド装置５の第１検索部５１を作動させて、第１情報、すなわち、ロット番号ＬＮ３（Ｌｏｔ１２３４）の検索を開始する。なお、第１検索部５１で検索される第１情報は、親部品のＩＤであってもよい。
【００４２】
そして、図２に示すように、リコールがかかった組立体３が装置本体１１Ａのオートサンプラ４に組み込まれている場合には、第１検索部５１により、当該ロット番号ＬＮ３を有する組立体３が装置本体１１Ａのオートサンプラ４に組み込まれていることが検索される（見出される）。この第１検索部５１での検索結果は、表示部５３に伝達される。これにより、表示部５３には、第１検索部５１での検索結果として、「リコールがかかった組立体３が装置本体１１Ａのオートサンプラ４に組み込まれている」旨が表示される。
【００４３】
これに対し、図３に示すように、リコールがかかった組立体３が装置本体１１Ｂのオートサンプラ４に組み込まれている場合には、第１検索部５１により、当該ロット番号ＬＮ３を有する組立体３が装置本体１１Ｂのオートサンプラ４に組み込まれていることが検索される。この第１検索部５１での検索結果は、前記と同様に、表示部５３に伝達される。これにより、表示部５３には、第１検索部５１での検索結果として、「リコールがかかった組立体３が装置本体１１Ｂのオートサンプラ４に組み込まれている」旨が表示される。
【００４４】
このような構成により、リコールされている組立体３が装置本体１１Ａおよび装置本体１１Ｂのうちのどちらのどこに組み込まれているのかを把握することができる。すなわち、装置本体１１に取り付けられている組立体３の所在を管理することができる。これにより、組立体３を容易に探し当てることができ、よって、リコールされていない新たな組立体３への交換作業を迅速に行うことができる。また、リコールが生じてから交換までの時間をできる限り短くすることができ、よって、クロマトグラフィーシステム１の稼働率の低減を抑制することができる。
【００４５】
また、第１検索部５１での検索結果は、システム管理装置１０の表示部１８に表示されてもよい。この場合、第１検索部５１での検索結果は、当該第１検索部５１から表示部１８に伝達される。これにより、第１検索部５１での検索結果を表示部１８に表示することができる。
【００４６】
ここまでは、組立体３にリコールがかかった場合について説明したが、組立体３を構成する部材３１等にリコールがかかった場合についても同様である。一例として、部材３２にリコールがかかった場合について、図４を参照して説明する。
【００４７】
部材３２であるロータにリコールがかかった場合、クラウド装置５の第２検索部５２を作動させて、第２情報、すなわち、ロット番号ＬＮ３２（ＬｏｔＹ００１）の検索を開始する。なお、第２検索部５２で検索される第２情報は、下位部品のＩＤであってもよい。
【００４８】
そして、図４に示すように、リコールがかかった部材３２が装置本体１１Ａのオートサンプラ４に組み込まれている組立体３に属する場合には、第２検索部５２により、当該ロット番号ＬＮ３２を有する部材３２が、装置本体１１Ａのオートサンプラ４に組み込まれている組立体３に属することが検索される。この第２検索部５２での検索結果は、表示部５３に伝達される。これにより、表示部５３には、第２検索部５２での検索結果として、「リコールがかかった部材３２が装置本体１１Ａのオートサンプラ４に組み込まれている組立体３に属する」旨が表示される。
【００４９】
このような構成により、リコールされている部材３２がどこの組立体３にあるかを把握することができる。すなわち、部材３２が属する組立体３の所在を管理することができる。これにより、部材３２を探し当てて、新たな部材３２’に迅速に交換することができる。この場合、組立体３自体は、交換されない。
【００５０】
また、部材３２’にもロット番号ＬＮ３２’が付されている。部材３２’の交換とともに、ロット番号ＬＮ３２’が第３記憶部１９に書き換えられる。
以上のように、クロマトグラフィーシステム１は、トレーサビリティを正確に行うことができる状態となっている。
【００５１】
また、第１情報および第２情報の検索は、本実施形態ではクラウド装置５によって行われるが、これに限定されない。例えば、装置本体１１Ａおよび装置本体１１Ｂのうちの一方をホストコンピュータとすることができる。ホストコンピュータは、第１検索部５１および第２検索部５２の機能を有し、第１情報および第２情報の検索を行うことができる。
【００５２】
また、組立体３は、本実施形態では複数の装置本体１１間で転用可能な部品を一例としているが、これに限定されず、転用が制限される部品や装置であってもよい。
また、組立体３としては、一例として「高圧バルブ」を挙げたが、その他に、例えば、「セル」とすることもできる。この場合、セルは、検出器８間の間で交換がなされる。
【００５３】
＜第２実施形態＞
図５は、本発明のクロマトグラフィーシステムの第２実施形態を示す概略図（ブロック図）である。
以下、この図を参照して本発明のクロマトグラフィーシステムの第２実施形態について説明するが、前述した実施形態との相違点を中心に説明し、同様の事項はその説明を省略する。
本実施形態は、第３記憶部の配置箇所が異なること以外は前記第１実施形態と同様である。
【００５４】
図５に示すように、本実施形態では、第３記憶部１９は、組立体３に配置、固定されている。これにより、装置本体１１内の複数の箇所に第３記憶部１９を分散して配置した前記第１実施形態と異なり、第３記憶部１９の配置箇所を１つに集約することができる。また、この場合、組立体３が交換されも、その交換時の第１情報や第２情報の書き換え作業をするのを省略することができる。
また、本実施形態でも、前記第１実施形態と同様に、装置本体１１に取り付けられている組立体３の所在を正確に管理することができる。
【００５５】
以上、本発明のクロマトグラフィーシステムを図示の実施形態について説明したが、本発明は、これに限定されるものではなく、クロマトグラフィーシステムを構成する各部は、同様の機能を発揮し得る任意の構成のものと置換することができる。また、任意の構成物が付加されていてもよい。
【００５６】
［態様］
上述した複数の例示的な実施形態は、以下の態様の具体例であることが当業者により理解される。
【００５７】
（第１項）一態様に係るクロマトグラフィーシステム（１）は、
液体の試料が通過する流路（１３）を有する装置本体（１１）と、前記流路（１３）の途中に配置され、前記試料を複数の成分に分離する分析カラム（１２１）とを備え、複数の分析条件で前記試料の分析が可能なクロマトグラフィーシステム（１）であって、
前記装置本体（１１）に取り付けられ、複数の部材（３１等）を組み立てることにより構成された組立体（３）と、
前記組立体（３）に関する第１情報と、前記組立体（３）を構成する各前記部材（３１等）に関する第２情報とを記憶する記憶部（１９）とを備える。
【００５８】
第１項に記載のクロマトグラフィーシステムによれば、例えば組立体にリコールがかけられている場合、記憶部によって、当該組立体がどの装置本体に取り付けられているのか、すなわち、組立体の所在を管理することができる。
【００５９】
（第２項）第１項に記載のクロマトグラフィーシステム（１）は、
前記記憶部（１９）は、前記装置本体（１１）に配置されている。
【００６０】
第２項に記載のクロマトグラフィーシステムによれば、例えば、記憶部を装置本体内の複数の箇所に分散して配置することができる。
【００６１】
（第３項）第１項に記載のクロマトグラフィーシステム（１）は、
前記記憶部（１９）は、前記組立体（３）に配置されている。
【００６２】
第２項に記載のクロマトグラフィーシステムによれば、例えば、記憶部の配置箇所を１つに集約することができる。
【００６３】
（第４項）第１項ないし第３項のいずれか１項に記載のクロマトグラフィーシステム（１）は、
前記記憶部（１９）は、前記組立体（３）が製造されたときに付与されたロット番号を、前記第１情報として記憶する。
【００６４】
第４項に記載のクロマトグラフィーシステムによれば、第１情報の管理を容易かつ正確に行うことができる。
【００６５】
（第５項）第１項ないし第４項のいずれか１項に記載のクロマトグラフィーシステム（１）は、
前記記憶部（１９）は、前記部材（３１等）が製造されたときに付与されたロット番号を、前記第２情報として記憶する。
【００６６】
第５項に記載のクロマトグラフィーシステムによれば、第２情報の管理を容易かつ正確に行うことができる。
【００６７】
（第６項）第１項ないし第５項のいずれか１項に記載のクロマトグラフィーシステム（１）は、
前記装置本体（１１）は、複数配置されており、
前記組立体（３）は、各前記装置本体（１１）に交換して用いられるのが可能であり、
前記記憶部（１９）に記憶されている前記第１情報に基づいて、前記組立体（３）が取り付けられている装置本体（１１）を検索する装置本体検索部（５１）を備える。
【００６８】
第６項に記載のクロマトグラフィーシステムによれば、検索対象である組立体が複数の装置本体のうちのどの装置本体に取り付けられているのかを一括して検索することができる。
【００６９】
（第７項）第１項ないし第６項のいずれか１項に記載のクロマトグラフィーシステム（１）は、
前記記憶部（１９）に記憶されている前記第２情報に基づいて、前記部材（３１等）が組み込まれている前記組立体（３）を検索する組立体検索部（５２）を備える。
【００７０】
第７項に記載のクロマトグラフィーシステムによれば、例えば装置本体が複数配置されている場合、検索対象である部材が複数の装置本体のうちのどの装置本体に組み込まれている組立体にあるのかを一括して検索することができる。
【００７１】
（第８項）第１項ないし第７項のいずれか１項に記載のクロマトグラフィーシステム（１）は、
前記記憶部（１９）は、前記第１情報および前記第２情報の書き換えが可能であり、
前記記憶部（１９）に対して、前記第１情報および前記第２情報の書き換えを行う入力部（１７）を備える。
【００７２】
第８項に記載のクロマトグラフィーシステムによれば、第１情報および第２情報の書き換えを要する場合には、その都度、書き換え作業を容易かつ迅速に行うことができる。
【符号の説明】
【００７３】
１            クロマトグラフィーシステム
２            送液装置
３            組立体
３１          部材
３３１        部材
３３２        部材
３２          部材
３２’        部材
４            オートサンプラ
５            クラウド装置（クラウドコンピュータ）
５１          第１検索部
５２          第２検索部
５３          表示部
６            カラムオーブン
８            検出器
１０          システム管理装置
１１          装置本体
１１Ａ        装置本体
１１Ｂ        装置本体
１２          カラムユニット
１２１        分析カラム
１２２        第２記憶部
１３          流路
１４          分析条件設定部
１５          判断部
１６          第１記憶部（記憶部）
１７          入力部
１８          表示部
１９          第３記憶部
１９Ａ        第３記憶部
１９Ｂ        第３記憶部
ＬＮ３        ロット番号
ＬＮ３１      ロット番号
ＬＮ３１１    ロット番号
ＬＮ３１２    ロット番号
ＬＮ３２      ロット番号
ＬＮ３２’    ロット番号
Ｑ            移動相
【図１】
2020183761.tif 000004
【図２】
2020183761.tif 000005
【図３】
2020183761.tif 000006
【図４】
2020183761.tif 000007
【図５】
2020183761.tif 000008
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
液体の試料が通過する流路を有する装置本体と、前記流路の途中に配置され、前記試料を複数の成分に分離する分析カラムとを備え、複数の分析条件で前記試料の分析が可能なクロマトグラフィーシステムであって、
前記装置本体に取り付けられ、複数の部材を組み立てることにより構成された組立体と、
前記組立体に関する第１情報と、前記組立体を構成する各前記部材に関する第２情報とを記憶する記憶部とを備えるクロマトグラフィーシステム。
【請求項２】
前記記憶部は、前記装置本体に配置されている請求項１に記載のクロマトグラフィーシステム。
【請求項３】
前記記憶部は、前記組立体に配置されている請求項１に記載のクロマトグラフィーシステム。
【請求項４】
前記記憶部は、前記組立体が製造されたときに付与されたロット番号を、前記第１情報として記憶する請求項１ないし３のいずれか１項に記載のクロマトグラフィーシステム。
【請求項５】
前記記憶部は、前記部材が製造されたときに付与されたロット番号を、前記第２情報として記憶する請求項１ないし４のいずれか１項に記載のクロマトグラフィーシステム。
【請求項６】
前記装置本体は、複数配置されており、
前記組立体は、各前記装置本体に交換して用いることが可能であり、
前記記憶部に記憶されている前記第１情報に基づいて、前記組立体が取り付けられている装置本体を検索する装置本体検索部を備える請求項１ないし５のいずれか１項に記載のクロマトグラフィーシステム。
【請求項７】
前記記憶部に記憶されている前記第２情報に基づいて、前記部材が組み込まれている前記組立体を検索する組立体検索部を備える請求項１ないし６のいずれか１項に記載のクロマトグラフィーシステム。
【請求項８】
前記記憶部は、前記第１情報および前記第２情報の書き換えが可能であり、
前記記憶部に対して、前記第１情報および前記第２情報の書き換えを行う入力部を備える請求項１ないし７のいずれか１項に記載のクロマトグラフィーシステム。
【請求項９】
送液装置、オートサンプラー、カラムオーブンおよび検出器と電気的に接続されたシステム管理装置を備え、前記システム管理装置が備える記憶部に前記組立体に関する第１情報と、前記組立体を構成する各前記部材に関する第２情報とを記憶する請求項１ないし８のいずれか１項に記載のクロマトグラフィーシステム。
【請求項１０】
前記システム管理装置と無線による方法、有線による方法、またはネットワークを介する方法を含む電気的な方法で接続され、前記組立体に関する第１情報と、前記組立体を構成する各前記部材に関する第２情報を前記システム管理装置を経由して取得するクラウド装置を備える請求項９に記載のクロマトグラフィーシステム。
【国際調査報告】
2020183761.tif 000009
2020183761.tif 000010
2020183761.tif 000011
2020183761.tif 000012